(57)【要約】【課題】筬打ち時に緯糸の端部を保持して、緯糸捕捉パイプへの緯糸の捕捉長をより短くすることができるエアジェット織機の緯糸保持具を提供する。【解決手段】本発明は、筬打ち時に緯糸噴射ノズルから噴出された緯糸９１の端部を緯糸捕捉パイプ８４内に挿入させて緯糸に張力を付与するエアジェット織機の緯糸保持具であって、織機に張設される複数の経糸の織耳側と緯糸捕捉パイプとの間に位置し且つ筬羽８２と対向する方向に相対的に移動可能な突出部２と、突出部を移動させて筬羽に押しつけることにより、突出部の先端部３と筬羽との間に緯糸を保持する押圧手段５と、を備え、押圧手段は、筬打ち時に緯糸が緯糸捕捉パイプ内に挿入されたときに突出部の先端部を筬羽に押しつけ、筬打ちが完了したときに突出部の先端部を筬羽から離間させて緯糸を解放することを特徴とする。【選択図】図１
2017125283.tif 000002
【特許請求の範囲】
【請求項１】
筬打ち時に緯糸噴射ノズルから噴出された緯糸の端部を緯糸捕捉パイプ内に挿入させて前記緯糸に張力を付与するエアジェット織機の緯糸保持具であって、
前記織機に張設される複数の経糸の織耳側と前記緯糸捕捉パイプとの間に位置し且つ筬羽と対向する方向に相対的に移動可能な突出部と、
前記突出部を移動させて前記筬羽に押し付けることにより、前記突出部の先端部と前記筬羽との間に緯糸を保持する押圧手段と、
を備え、
前記押圧手段は、筬打ち時に緯糸が前記緯糸捕捉パイプ内に挿入されたときに前記突出部の先端部を前記筬羽に押しつけ、筬打ちが完了したときに前記突出部の先端部を前記筬羽から離間させて緯糸を解放することを特徴とする緯糸保持具。
【請求項２】
少なくとも前記突出部の先端部は弾性材により構成されている請求項１記載の緯糸保持具。
【請求項３】
前記押圧手段は前記織機のバーテンプルによって構成されており、
前記突出部は前記バーテンプルに固定されている請求項１又は２に記載の緯糸保持具。
【発明の詳細な説明】
【技術分野】
【０００１】
本発明は、エアジェット織機の緯糸保持具に関する。更に詳しくは、本発明は、筬打ち時に緯糸の端部を保持して、緯糸捕捉パイプへの緯糸の捕捉長をより短くすることができるエアジェット織機の緯糸保持具に関する。
【背景技術】
【０００２】
エアジェット織機は、緯糸噴射ノズルから緯糸をエアと共に噴出させた後、緯糸の端部側を、緯糸捕捉パイプに圧縮空気による押し込み又は吸引により捕捉することにより、緯糸を緯糸捕捉パイプから緯糸噴射ノズルまでを張り渡した状態に保持して筬打ちを行う。緯糸捕捉パイプに緯糸が捕捉させる長さは、より長いほど、より強く保持することができるために、筬打ちに耐えられるだけの十分な長さとする必要がある。しかし、筬打ちを行った後は、緯糸捕捉パイプ内に捕捉されている緯糸が不要となるため、緯糸捕捉パイプに捕捉させる緯糸、即ち保持のみに必要な緯糸の長さをより短くする手段が望まれていた。
一方、緯糸捕捉パイプを用いることなく、緯糸の端部を保持する手段が検討されている。例えば、特許文献１に示す保持装置は、緯糸を織物の送り出し時にスリット内に緯糸を到達させた後、スリットのブローノズルから吹き出る圧縮空気によって流路に押しつけることにより保持する。
【先行技術文献】
【特許文献】
【０００３】
【特許文献１】特開２００２−３７１４４８号公報
【発明の概要】
【発明が解決しようとする課題】
【０００４】
しかし、特許文献１に示す保持装置は、圧縮空気を用いて緯糸を保持しているために、緯糸捕捉パイプを使う方法と同様に一定長の緯糸が余分に必要となるため、保持のみに必要な緯糸を短くする目的には適していない。
本発明は、上記実情に鑑みてなされたものであり、筬打ち時に緯糸の端部を保持して、緯糸捕捉パイプへの緯糸の捕捉長をより短くすることができるエアジェット織機の緯糸保持具を提供することを目的とする。
【課題を解決するための手段】
【０００５】
上記問題を解決するために、請求項１に記載の発明は、筬打ち時に緯糸噴射ノズルから噴出された緯糸の端部を緯糸捕捉パイプ内に挿入させて前記緯糸に張力を付与するエアジェット織機の緯糸保持具であって、前記織機に張設される複数の経糸の織耳側と前記緯糸捕捉パイプとの間に位置し且つ筬羽と対向する方向に相対的に移動可能な突出部と、前記突出部を移動させて前記筬羽に押しつけることにより、前記突出部の先端部と前記筬羽との間に緯糸を保持する押圧手段と、を備え、前記押圧手段は、筬打ち時に緯糸が前記緯糸捕捉パイプ内に挿入されたときに前記突出部の先端部を前記筬羽に押しつけ、筬打ちが完了したときに前記突出部の先端部を前記筬羽から離間させて緯糸を解放することを要旨とする。
請求項２に記載の発明は、請求項１において、少なくとも前記突出部の先端部は弾性材により構成されていることを要旨とする。
請求項３に記載の発明は、請求項１又は２において、前記押圧手段は前記織機のバーテンプルによって構成されており、前記突出部は前記バーテンプルに固定されていることを要旨とする。
【発明の効果】
【０００６】
本発明のエアジェット織機の緯糸保持具によれば、織機に張設される複数の経糸の織耳側と緯糸捕捉パイプとの間に位置し且つ筬羽と対向する方向に相対的に移動可能な突出部と、突出部を移動させて筬羽に押しつけることにより、突出部の先端部と筬羽との間に緯糸を保持する押圧手段と、を備え、押圧手段は、筬打ち時に緯糸が緯糸捕捉パイプ内に挿入されたときに突出部の先端部を筬羽に押しつけ、筬打ちが完了したときに突出部の先端部を筬羽から離間させて緯糸を解放するため、緯糸捕捉パイプに捕捉される緯糸の長さを短くして、緯糸捕捉パイプによる緯糸の保持力を弱めても、緯糸を張り渡した状態で筬打ちを行うことができる。そして、緯糸の保持に必要な長さを短くすることにより、筬打ち後に糸くずとなる部位を減らすことができる。
【０００７】
少なくとも突出部の先端部は弾性材により構成されている場合は、撓みやすい先端部を緯糸及び筬に押しつけて、緯糸及び筬の形状に合わせて先端部の形状を変えさせることで、緯糸を傷つけたり、筬を変形させたりしない緩衝材として機能させることができる。
押圧手段は織機のバーテンプルによって構成されており、突出部はバーテンプルに固定されている場合は、突出部を筬羽に押しつけたり又は離間させたりする動作を、バーテンプルと筬との接近又は離間させる動作によって行うことができ、非常に簡単な構成で、十分に緯糸を保持し、緯糸を張り渡した状態で筬打ちを行うことができる。
【図面の簡単な説明】
【０００８】
【図１】本発明の緯糸保持具が織機に配設されている構成を説明するための模式平面図である。
【図２】本発明の緯糸保持具が織機に配設されている構成を説明するための模式側面図である。
【図３】緯糸が緯糸捕捉パイプに捕捉された状態を説明するための模式平面図である。
【図４】緯糸が緯糸捕捉パイプに捕捉された状態を説明するための模式側面図である。
【図５】緯糸保持具の先端部が緯糸に接触した状態を説明するための模式平面図である。
【図６】緯糸保持具の先端部が緯糸に接触した状態を説明するための模式側面図である。
【図７】緯糸保持具の先端部が緯糸を筬羽に押圧している状態を説明するための模式平面図である。
【図８】緯糸保持具の先端部が緯糸を筬羽に押圧している状態を説明するための模式側面図である。
【発明を実施するための形態】
【０００９】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
本発明は、エアジェット織機の緯糸保持具である。本緯糸保持具は、緯糸噴射ノズルから圧縮空気によって付勢されて噴出された緯糸の端部を、緯糸捕捉パイプ内に挿入させて保持することで緯糸に張力を付与した状態で筬打ちを行うエアジェット織機に適用される。
【００１１】
１．緯糸保持具の構成
本緯糸保持具（１）は、織機に張設される複数の経糸（９２）の織耳側（９４）と、緯糸捕捉パイプ（８４）と、の間であって、且つ筬羽（８２）に対向して配設される突出部（２）と、突出部（２）を移動させて筬羽（８２）に押しつけることにより、突出部（２）の先端部（３）と筬羽（８２）との間に緯糸を保持する押圧手段（５）とを備える（図１、２を参照）。
【００１２】
突出部（２）は、配設箇所に対して筬羽（８２）側へ突出するように構成されていればよく、その形状、材質は特に問わない。突出部（２）の先端部（３）は、緯糸（９１）と接触して筬羽（８２）に押しつける部位である（図７、８を参照。）。
突出部（２）の先端部（３）は、筬羽（８２）に対向しており、筬羽（８２）に接近するよう相対的に移動することによって、緯糸噴射ノズルから噴出された緯糸（９１）を、筬羽（８２）との間に挟むように筬羽に押し当てられる。この「相対的に接近するように移動」とは、先端部（３）が移動して筬羽（８２）に接近する、又は筬羽（８２）が移動して先端部（３）に接近することをいう。
先端部（３）は、筬打ちに障害を与えることなく、また筬羽（８２）に大きな力を加えて変形させない構成であることが好ましい。この例として合成樹脂、ゴム及びエラストマー等の弾性に富む材質から構成される弾性体を用いることを挙げることができる。また、先端部（３）は、突出部（２）の他の部位と異なる材質であってもよい。例えば、突出部の先端部を弾性体から構成し、他の部位をばね等とすることで押圧する力を増すことができる。
突出部（２）の筬羽（８２）及び緯糸（９１）と接触する先端部（３）は、平坦な面であってもよいし、凹凸面、湾曲面等の平坦以外の面であってもよい。
【００１３】
押圧手段（５）は、先端部（３）を筬羽（８２）に相対的に移動させて押しつけたり又は離間させたりするための手段である。このような手段は、例えば、筬打ち動作に連動して先端部を移動させるアクチュエータを挙げることができる。また、筬打ち動作に伴って移動するバーテンプル（８３）に突出部（２）を固定して、前記バーテンプルを押圧手段としてもよい。筬打ち時にバーテンプル（８３）が筬に接近して、先端部をそのまま緯糸及び筬羽（８２）に押しつけることができるためである。更に、筬打ち動作に伴って移動する筬の近辺のバーテンプルやフレーム等に突出部を固定して、前記筬を押圧手段としてもよい。筬打ち時に筬がバーテンプルに接近する位置に突出部を設けることで、先端部をそのまま緯糸及び筬羽に押しつけることができるためである。
【００１４】
２．緯糸保持具による緯糸の保持
本緯糸保持具による筬打ち時の緯糸の保持方法を、筬打ちの手順に沿って説明する。
尚、図１、２に示すように、緯糸保持具１は根本部４が織機のバーテンプル８３に固定されている棒形状の突出部２を備え、合成樹脂製の連通孔体からなる。突出部２の先端部３は筬８１の筬羽８２の端部に対向するよう配設されている。また、緯糸保持具１が配設されている織機は、筬８１がバーテンプル８３側に移動して筬打ちを行う。
【００１５】
（１）図３、４に示すように、図３における左方向に位置する緯糸噴射ノズル（図示せず）から圧縮空気によって付勢された緯糸９１が、張設されている経糸９２を図３における右方向に横断し、その端部が捕捉ノズル８５から噴出される圧縮空気により緯糸捕捉パイプ８４に挿入される。また、筬８１が押圧手段５であるバーテンプル８３側に移動を始め、突出部２の先端部３と筬羽８２の端部とが接近する。
（２）図５、６に示すように、突出部２の先端部３と筬羽８２の端部との更なる接近により、先端部３が張り渡されている緯糸９１と接触し、筬羽８２の端部に向けて押す。
【００１６】
（３）図７、８に示すように、筬８１の更なる移動により、突出部２の先端部３が緯糸９１を筬羽８２に押しつけることにより、緯糸９１を保持する。また、押しつけに伴い、突出部２が筬羽８２によって押しつぶれるように変形する。この状態で筬羽８２が織布９３の縁部に押しつけられ、筬打ちが行われる。
（４）筬８１がバーテンプル８３から離間し、それと共に突出部２の先端部３が筬羽８２から離れる。また、筬８１は、織布９３の一部となった緯糸９１からも離れる。
【００１７】
本緯糸保持具１は、以上の手順により筬打ち中の緯糸９１を保持するため、緯糸捕捉パイプ８４に捕捉される緯糸９１の長さを短くして、緯糸捕捉パイプ８４による緯糸９１の保持力を弱めても、突出部２の先端部３による保持力が加わるため、緯糸９１を張り渡した状態で緯糸９１が位置ずれすることなく筬打ちを行うことができる。そして、緯糸９１の保持に必要な長さを短くすることにより、筬打ち後に糸くずとなる部位を減らすことができる。
【００１８】
前述の例は単に説明を目的とするものでしかなく、本発明を限定するものと解釈されるものではない。本発明を典型的な実施形態の例を挙げて説明したが、本発明の記述及び図示において使用された文言は、限定的な文言ではなく説明的及び例示的なものであると理解される。
【符号の説明】
【００１９】
１；緯糸保持具、２；突出部、３；先端部、５；押圧手段、８１；筬、８２；筬羽、８３；バーテンプル、８４；緯糸捕捉パイプ、８５；捕捉ノズル、９１；緯糸、９２；経糸、９３；織布、９４；織耳側。
【図１】
2017125283.tif 000003
【図２】
2017125283.tif 000004
【図３】
2017125283.tif 000005
【図４】
2017125283.tif 000006
【図５】
2017125283.tif 000007
【図６】
2017125283.tif 000008
【図７】
2017125283.tif 000009
【図８】
2017125283.tif 000010